(57)【要約】【課題】リリース時のストロークを短くすることができ、かつマグネットによる吸着力を調整できるプッシュラッチ装置を提供する。【解決手段】プッシュラッチ装置１００は、ケース本体１０と、固定部材２０と、スライド部材３０と、第１の付勢手段としてのバネ４０と、ガイドピン５０と、第２の付勢手段としてのバネ５４とを備える。バネ５４は、ガイドピン５０の係止部５１をガイド溝３１の往路３１ａの終端位置から復路３１ｂの始端側へ付勢するためのコイル状バネであり、ケース本体１０の封止端に設けられた固定部材２０に軸５３に対し垂直方向に装着されている。バネ５４は、軸５３を支点としてガイドピン５０の係止部５１をガイド溝３１の往路３１ａの終端位置から復路３１ｂの始端側へ付勢するようになされる。【選択図】        図２
2010242413.tif 000002
【特許請求の範囲】
【請求項１】
開口端と封止端とを有する筒状のケース本体と、
一端が軸を介して前記ケース本体の封止端に揺動可能に支持され、他端が係止部を有するガイドピンと、
前記ケース本体から突出可能な突出部本体と、該突出部本体が前記ケース本体内へ押し込む過程に対応する往路と該突出部本体が前記ケース本体から突出する過程に対応する復路を備え前記ガイドピンの係止部の走行を案内するガイド溝とを有し、前記ケース本体の内に軸線方向に移動可能に装着されたスライド部材と、
前記スライド部材を前記ケース本体の開口端へ付勢する第１の付勢手段と、
前記ガイドピンの係止部を前記ガイド溝の往路の終端位置から復路の始端側へ付勢する第２の付勢手段とを備えることを特徴とするプッシュラッチ装置。
【請求項２】
前記第２の付勢手段は、前記軸に対し垂直方向に配置されたコイル状バネであり、前記軸を支点として前記ガイドピンの係止部を前記ガイド溝の往路の終端位置から復路の始端側へ付勢することを特徴とする請求項１に記載のプッシュラッチ装置。
【請求項３】
前記復路の出口に前記ガイドピンの係止部の進入を阻止する段差を有することを特徴とする請求項１または２に記載のプッシュラッチ装置。
【請求項４】
前記第２の付勢手段は、前記ガイド溝の復路の始端側に配置された磁性体であり、
前記ガイドピンは、少なくとも係止部が前記磁性体により吸引可能な金属材料から形成され、
前記係止部が前記ガイド溝の往路の終端位置から復路の始端位置までの間にあるとき、前記第２の付勢手段は、前記係止部を前記ガイド溝の往路の終端位置から復路の始端側へ付勢することを特徴とする請求項１に記載のプッシュラッチ装置。
【請求項５】
前記突出部本体の先端にマグネット装着部を有し、前記マグネット装着部の外周面にネジが刻設され、前記外周面のネジに螺合する外層管材が設けられることを特徴とする請求項１乃至３のいずれかに記載のプッシュラッチ装置。
【発明の詳細な説明】
【技術分野】
【０００１】
本発明は、筒状のケース本体と内部に移動可能に装着され、ケース本体から突出可能な突出部本体を有するスライド部材を有し、ケース本体に対して、スライド部材の突出部本体を相対的に押し込むことにより、スライド部材がケース本体に対する突出位置と格納位置とに交互に配置されて保持され、開閉扉等を外側から軽く押すだけで開閉させることが可能なプッシュラッチ装置、特にマグネットプッシュラッチ装置に関するものである。
【背景技術】
【０００２】
プッシュラッチ装置は、ビデオデッキなどを収納する部分や下駄箱など家具の開き扉や自動車内の灰皿や小物入れの蓋等に幅広く採用されている。しかし、キッチンの棚、引き出し等にはあまり使われていないのが現状である。その原因として、キッチン棚等は扉と棚の間に隙間があると害虫侵入があるため、従来のプッシュラッチ装置（特にマグネットプッシュラッチ装置）は扉を再び開くために長い押し代が必要でこれにより棚と扉の間に隙間ができてしまい、キッチンでの採用が困難である。
【０００３】
図１２は、従来のプッシュラッチ装置の構成を示す断面図である。図１２に示すように、プッシュラッチ装置１は、筒状のケース本体２と、固定部材３と、ガイドピン５と、スライド部材６と、スライド部材をケース本体の開口端へ付勢する付勢手段としてのバネ４とから構成されている。
【０００４】
ガイドピン５は、一端が軸５ａを介してケース本体１の封止端に揺動可能に支持され、他端が係止部５ｂを有する。また、スライド部材６は、ケース本体２から突出可能な突出端を有し、ガイドピン５の係止部５ｂの走行を案内するガイド溝６ａ，６ｂが形成され、ケース本体２の内に軸線方向に移動可能に装着される。ガイド溝６ａ，６ｂは、中央部に形成されたハート形のガイド突部７により、スライド部材６の突出端がケース本体２の内へ押し込む過程に対応する往路６ａとスライド部材６の突出端がケース本体２から突出する過程に対応する復路６ｂに分割されている。
【０００５】
往路６ａと復路６ｂの端部の間にガイド面を有する凸部６ｃを有する。また、ハート形のガイド突部７において、凸部６ｃに対向する面にＶ字形の凹部７ａを有する。スライド部材６の突出端をケース本体２の内へ押し込むと、ガイドピン５の係止部５ｂが往路６ａを走行した後、凸部６ｃの往路６ａ側のガイド面によりＶ字形の凹部７ａに案内され、凹部７ａで係止することで、スライド部材６の突出端がケース本体２に対して格納位置に保持される。再度スライド部材６の突出端を押すと、ガイドピン５の係止部５ｂが凸部６ｃの復路路６ａ側のガイド面により復路の始端位置に案内され、押す力を外すと、バネ４の付勢によりスライド部材６の突出端がケース本体２から突出した突出位置に保持される。
【０００６】
また、ケース本体内に前後方向に移動自在に装着され上端面にハート形のガイド突部の外縁に沿った形状のガイド溝が形成されたスライド部材を有するマグネットキャッチャ（例えば、特許文献１参照）、およびプッシュラッチ装置が周知されている（例えば、特許文献２参照）。
【０００７】
特許文献１に開示のマグネットキャッチャ、および特許文献２に開示のプッシュラッチ装置においても、上述した従来のプッシュラッチ装置１のように、ガイド溝の往路と復路の端部の間にガイド面を有する凸部を有する。ハート形のガイド突部において、前記凸部に対向する面にＶ字形の凹部を有する。
【先行技術文献】
【特許文献】
【０００８】
【特許文献１】実開昭６３−９１６７５号公報
【特許文献２】特開平７−３４７４６号公報
【発明の概要】
【発明が解決しようとする課題】
【０００９】
しかしながら、上記した従来のプッシュラッチ装置において、ガイドピン５の係止部５ｂをＶ字形の凹部７ａに、さらに復路６ｂの始端位置にスムーズに案内するために、凸部６ｃを高くして、凸部６ｃの往路６ａ側のガイド面と復路６ａ側のガイド面との間の角を小さくすると共に、Ｖ字形の凹部７ａを深くすることが必要となる。そのため、リリース時のストローク（押し代）Ｄが長く、扉とケース本体２の端面、即ち、扉と被取付物との間の間隔が大きくなり、近接した状態にすることができないという問題点があった。
【００１０】
また、上述した特許文献１に開示のマグネットキャッチャ、および特許文献２に開示のプッシュラッチ装置においても、上記の問題点がある。
【００１１】
そのため、リリース時のストロークが短く、扉と被取付物との間の間隔ができるだけ小さく、近接することができるプッシュラッチ装置が望まれている。
【００１２】
また、先端に取り付けたマグネットと扉間の距離を調整することができ、即ちマグネットによる吸着力を調整することができるプッシュラッチ装置が望まれている。
【００１３】
そこで、本発明は、ガイドピンの係止部をガイド溝の往路の終端位置から復路の始端側へ付勢する第２の付勢手段を設け、往路の終端と復路の始端との間の凸部の高さを小さくすることで、リリース時のストロークを短くすることができ、かつマグネットによる吸着力を調整できるプッシュラッチ装置を提供することを目的とする。
【課題を解決するための手段】
【００１４】
上記課題を解決するため、本発明に係るプッシュラッチ装置は、開口端と封止端とを有する筒状のケース本体と、一端が軸を介して前記ケース本体の封止端に揺動可能に支持され、他端が係止部を有するガイドピンと、前記ケース本体から突出可能な突出部本体と、該突出部本体が前記ケース本体内へ押し込む過程に対応する往路と該突出部本体が前記ケース本体から突出する過程に対応する復路を備え前記ガイドピンの係止部の走行を案内するガイド溝とを有し、前記ケース本体の内に軸線方向に移動可能に装着されたスライド部材と、前記スライド部材を前記ケース本体の開口端へ付勢する第１の付勢手段と、前記ガイドピンの係止部を前記ガイド溝の往路の終端位置から復路の始端側へ付勢する第２の付勢手段とを備えることを特徴とするものである。
【００１５】
例えば、前記第２の付勢手段は、前記軸に対し垂直方向に配置されたコイル状バネであり、前記軸を支点として前記ガイドピンの係止部を前記ガイド溝の往路の終端位置から復路の始端側へ付勢する。
【００１６】
また例えば、前記復路の出口に前記ガイドピンの係止部の進入を阻止する段差を有する。
【００１７】
また例えば、前記第２の付勢手段は、前記ガイド溝の復路の始端側に配置された磁性体であり、前記ガイドピンは、少なくとも係止部が前記磁性体により吸引可能な金属材料から形成され、前記係止部が前記ガイド溝の往路の終端位置から復路の始端位置までの間にあるとき、前記第２の付勢手段は、前記係止部を前記ガイド溝の往路の終端位置から復路の始端側へ付勢する。
【００１８】
また例えば、前記突出部本体の先端にマグネット装着部を有し、前記マグネット装着部の外周面にネジが刻設され、前記外周面のネジに螺合する外層管材が設けられる。
【発明の効果】
【００１９】
本発明によれば、プッシュラッチ装置は、一端が軸を介してケース本体の封止端に揺動可能に支持され、他端が係止部を有するガイドピンに対して、ガイドピンの係止部をガイド溝の往路の終端位置から復路の始端側へ付勢する第２の付勢手段を設けることで、リリース時のストロークを短くすることができる。そのため、扉と被取付物との間の間隔ができるだけ小さく、近接することができ、キッチン棚などのような場所でも利用できる。また、開扉時の一次押し込み作業量が少なくなるので、クイックリリースが実現できる。
【００２０】
また、第２の付勢手段は、軸に対し垂直方向に配置されたコイル状バネであり、軸を支点としてガイドピンの係止部を前記ガイド溝の往路の終端位置から復路の始端側へ付勢することが容易に実現できる。
【００２１】
また、復路の出口にガイドピンの係止部の進入を阻止する段差を設けることで、ガイドピンの逆走を確実に防止することができる。
【００２２】
また、第２の付勢手段は、ガイド溝の復路の始端側に配置された磁性体にすると共に、少なくともガイドピンの係止部を磁性体により吸引可能な金属材料から形成することで、係止部がガイド溝の往路の終端位置から復路の始端位置までの間にあるとき、第２の付勢手段は、係止部をガイド溝の往路の終端位置から復路の始端側へ付勢することができ、復路の出口にガイドピンの係止部の進入を阻止する段差を設ける必要がなくなる。
【００２３】
さらに、突出部本体の先端にマグネット装着部を有し、マグネット装着部の外周面にネジを刻設し、そして該外周面のネジに螺合する外層管材を設けることで、先端に取り付けたマグネットと扉間の距離を調整することができ、即ちマグネットによる吸着力を簡単に調整することができる。
【図面の簡単な説明】
【００２４】
【図１】第１の実施の形態のプッシュラッチ装置１００の構成を示す分解図である。
【図２】プッシュラッチ装置１００の構成を示すＸ−Ｘ、Ｙ−Ｙ断面図である。
【図３】プッシュラッチ装置１００の構成を示すＺ−Ｚ断面図である。
【図４】プッシュラッチ装置１００の動作を示す図（その１）である。
【図５】プッシュラッチ装置１００の動作を示す図（その２）である。
【図６】プッシュラッチ装置１００の動作を示す図（その３）である。
【図７】第２の実施の形態のプッシュラッチ装置２００の構成を示す断面図である。
【図８】第３の実施の形態のプッシュラッチ装置３００の構成を示す断面図である。
【図９】第４の実施の形態のプッシュラッチ装置４００の構成を示す断面図である。
【図１０】プッシュラッチ装置５００の構成を示す断面図である。
【図１１】プッシュラッチ装置１００のマグネットと扉間の距離を調整した状態を示す図である。
【図１２】従来のプッシュラッチ装置１の構成を示す断面図である。
【発明を実施するための形態】
【００２５】
以下、本発明に係るプッシュラッチ装置を実施するための形態を、図を参照して説明する。
【００２６】
図１は、本発明の第１の実施の形態のプッシュラッチ装置１００の構成を示す分解図である。図２は、プッシュラッチ装置１００の構成を示すＸ−Ｘ、Ｙ−Ｙ断面図である。図２において、（ａ）はガイドピンの揺動平面と平行するＸ−Ｘ断面図を示し、（ｂ）はＸ−Ｘ断面図と垂直するＹ−Ｙ断面図を示している。図３は、プッシュラッチ装置１００の構成を示すＺ−Ｚ断面図である。
【００２７】
図１〜図３に示すように、プッシュラッチ装置１００は、ケース本体１０と、固定部材２０と、スライド部材３０と、第１の付勢手段としてのバネ４０と、ガイドピン５０と、第２の付勢手段としてのバネ５４と、突出部本体６０とを備える。
【００２８】
ケース本体１０は、開口端と封止端とを有する円筒状に形成され、封止端は固定部材２０により封止されている。ケース本体１０の開口端に、開口がケース本体１０の内径より小さいフランジ１１を有し、このフランジ１１の内面に凹凸状に形成された係止面１１ａを有する。
【００２９】
固定部材２０は、ケース本体１０端部を封止する端部２１と、スライド部材３０を保持する保持部２２，２３とを有する。端部２１には、軸５３を挿入するための軸穴が設けられ、また、軸穴に対し垂直方向にバネ５４を装着するための穴が設けられている。固定部材２０にガイドピン５０が軸５３により揺動可能に支持されている。また、ガイドピン５０に対して付勢できるようにバネ５４が装着されている。
【００３０】
スライド部材３０は、スライド部本体３１と、弾性変形可能な連結部材である負荷吸収バネ８０を介してスライド部本体３１の先端に連結される円筒状の突出部本体６０と、該突出部本体６０の外周面に形成されたネジ６１に螺合して回転可能に設けられたストッパー部材６５と、突出部本体６０の内周面に形成された雌ネジに螺合して回転可能に設けられているスプリングホルダ７０とを有する。
【００３１】
また、スライド部材３０は、ケース本体１０の内に軸線方向に移動可能に装着され、第１の付勢手段としてのバネ４０によりケース本体１０の開口端へ付勢される。また、突出部本体６０の先端がケース本体１０の開口端よりわずかに露出している。この露出長さｄはリリース時のストロークとなる。
【００３２】
また、スライド部材３０には、ガイドピン５０の係止部５１が走行するためのガイド溝（３１ａ，３１ｂ）が形成されている。ガイド溝（３１ａ，３１ｂ）は、ガイド突部３２によりスライド部材３０の突出部本体６０がケース本体１０の内へ押し込む過程に対応する往路３１ａとスライド部材３０の突出部本体６０がケース本体１０から突出する過程に対応する復路３１ｂに分割されている。復路３１ｂの出口にガイドピン５０の係止部５１の進入を阻止する段差部材３３が設けられる。段差部材３３は短辺３３ａが復路３１ｂの底面と同じ低い位置にされ、長辺３３ｂが短辺３３ａより高い位置、即ち、往路３１ａの底面より高い位置にされている（図３参照）。これにより、復路３１ｂの出口において、ガイドピン５０の係止部５１の進入を阻止する段差が形成される。また、往路３１ａと復路３１ｂの端部の間に凸部３１ｃが設けられている。この凸部３１ｃは、ガイドピン５０の係止部５１が直接通過するのを阻止できる高さを有すればよい。また、ガイド突部３２において、凸部３１ｃに対向する面に引掛部３２ａ，３２ｂおよび平面３２ｃが形成されている。引掛部３２ａ，３２ｂの高さはガイドピン５０の係止部５１が平面３２ｃで係止できるように係止部５１を受け止め可能な最小の高さとされる。
【００３３】
また、スライド部材３０の突出部本体６０と接続側に端部フランジ３４を有し、端部フランジ３４の端面に凹凸状の嵌合部３５が形成されている。この凹凸状の嵌合部３５は、突出部本体６０に設けられたスプリングホルダ７０の後端面に形成された対応の凹凸端面７２と嵌合することで、スプリングホルダ７０を回転不能にすることができる。
【００３４】
バネ４０は、第１の付勢手段としてスライド部材３０をケース本体１０の開口端へ付勢するためのコイル状バネであり、ケース本体１０とスライド部材３０の間に配置されている。バネ４０の一端が、固定部材２０の端部２１に当接し、他端がスライド部本体３１の端部フランジ３４により規制されている。
【００３５】
ガイドピン５０は、一端が軸穴５２を有し軸５３を介してケース本体１０の封止端に揺動可能に支持され、他端がガイド溝（３１ａ，３１ｂ）に走行する係止部５１を有する。係止部５１は短円柱状に形成されている。
【００３６】
バネ５４は、第２の付勢手段としてガイドピン５０の係止部５１をガイド溝（３１ａ，３１ｂ）の往路３１ａの終端位置から復路３１ｂの始端側へ付勢するためのコイル状バネであり、ケース本体１０の封止端に設けられた固定部材２０に軸５３に対し垂直方向に装着されている。バネ５４は、軸５３を支点としてガイドピン５０の係止部５１をガイド溝（３１ａ，３１ｂ）の往路３１ａの終端位置から復路３１ｂの始端側へ付勢するようになされる。
【００３７】
突出部本体６０は、中空円筒状で、内部に装着された負荷吸収バネ８０を介してスライド部材３０の一端に装着されている。負荷吸収バネ８０の外側にスプリングホルダ７０が設けられている。また、突出部本体６０の外周面には、ストッパー部材６５と螺合するためのねじ部６１と、外層管材としてのスリーブ６３と螺合するためのねじ部６２と形成されている。
【００３８】
また、突出部本体６０の先端にマグネット装着部を有し、このマグネット装着部円柱状のマグネット６４が取り付けられている。このマグネット６４は、扉等のパネルＰに設けられた金属片Ｓを吸着することで、扉等を閉じた状態に保持する。また、スリーブ６３を回すことで、先端に取り付けたマグネットと扉間の距離を調整することが可能となる。
【００３９】
ストッパー部材６５は、内面にねじ部６１と螺合するための雌ねじが形成されたリング状のものである。ストッパー部材６５のケース本体１０の開口端に位置する端面が凹凸を有する凹凸端面６５ａである。この凹凸端面６５ａは、ケース本体１０の開口端にあるフランジ１１の内面に形成された係止面１１ａの対応の凹凸と嵌合することで、ストッパー部材６５を回転不能にすることができる。
【００４０】
スプリングホルダ７０は、突出部本体６０の中にねじ込んで装着されている。スプリングホルダ７０の後端面が凹凸を有する凹凸端面７２である。この凹凸端面７２がスライド部本体３１の端部フランジ３４の端面の凹凸状の嵌合部３５と嵌合するためのものである。
【００４１】
次に、プッシュラッチ装置１００の動作について、図４〜図６を参照しながら説明する。
【００４２】
図４（ａ）は、プッシュラッチ装置１００のスライド部材３０がケース本体１０に対する格納位置に保持される状態を示す断面図である。図４（ａ）に示すように、スライド部材３０がケース本体１０に対する格納位置に保持される状態において、ガイドピン５０の係止部５１がガイド突部３２の平面３２ｃの往路３１ａ側に位置し、バネ４０の付勢により平面３２ｃに係止されている。この状態は、扉等が閉められている状態に相当する。
【００４３】
図４（ｂ）は、プッシュラッチ装置１００の突出部本体６０の端部を押し込み始めての状態を示す断面図である。図４（ｂ）に示すように、開扉のため扉、（即ち、突出部本体６０の端部）を少し押し込むと、ガイドピン５０の係止部５１と平面３２ｃ間の拘束が解除され瞬時に、バネ５４の付勢によりガイドピン５０の係止部５１がガイド突部３２の引掛部３２ｂ側に移動する。
【００４４】
図４（ｃ）は、プッシュラッチ装置１００の突出部本体６０の端部をさらに押し込んだ状態を示す断面図である。図４（ｃ）に示すように、開扉のため扉、（即ち、突出部本体６０の端部）をさらに押し込むと、ガイドピン５０の係止部５１が平面３２ｃから離れて凸部３１ｃの復路３１ｂ側へ移動され、引掛部３２ｂの高さを越えられる位置になると、バネ５４の付勢によりガイドピン５０の係止部５１が復路３１ｂの始端位置へ移動する。
【００４５】
図４（ｄ）は、プッシュラッチ装置１００の突出部本体６０の端部を押し込んだ状態を示す断面図である。図４（ｄ）に示すように、開扉のため扉、（即ち、突出部本体６０の端部）を押し込んだ位置になると、ガイドピン５０の係止部５１がバネ５４の付勢により復路３１ｂの始端位置になる。この状態はガイドピン５０の係止部５１の係止が解除された状態である。
【００４６】
図５（ａ）は、プッシュラッチ装置１００のスライド部材３０の突出部本体６０がケース本体１０から突出し始めた状態を示す断面図である。図５（ａ）において、図４（ｄ）に示す状態から突出部本体６０の端部への押し込む力を外し、バネ４０によりスライド部材３０の突出部本体６０がケース本体１０から突出し始めた状態である。図５（ａ）に示すように、ガイドピン５０の係止部５１が復路３１ｂの始端位置から復路３１ｂに沿って段差部材３３を越えた位置になっている。この状態は、扉等が突出部本体６０により押さえられて開き始め状態に相当する。
【００４７】
図５（ｂ）は、プッシュラッチ装置１００のスライド部材３０の突出部本体６０がケース本体１０から完全に突出した状態を示す断面図である。図５（ｂ）に示すように、この状態では、ストッパー部材６５がケース本体１０の開口端にあるフランジ１１の内側に引っ掛かることでスライド部材３０の移動がストップされ、また、ガイドピン５０の係止部５１がガイド溝（３１ａ，３１ｂ）の最後端に位置する。即ち、ここで、開扉状態になる。
【００４８】
図５（ｃ）は、プッシュラッチ装置１００の突出部本体６０の端部を押し込み始めての状態を示す断面図である。図５（ｃ）に示すように、扉を閉めるために扉（即ち、突出部本体６０の端部）を押し込むと、スライド部材３０がケース本体１０の封止端へ移動する。これに対して、ガイドピン５０の係止部５１がガイド溝（３１ａ，３１ｂ）に沿って反対側へ移動する。
【００４９】
図５（ｄ）は、プッシュラッチ装置１００の突出部本体６０の端部を押し込み途中の状態を示す断面図である。図５（ｄ）に示すように、扉を閉めるために扉（即ち、突出部本体６０の端部）を押し込み続けると、スライド部材３０がさらにケース本体１０の封止端へ移動し、同時にガイドピン５０の係止部５１がガイド溝（３１ａ，３１ｂ）に沿って復路３１ｂの出口の位置に到達し、この際に、ガイドピン５０の係止部５１がバネ５４の付勢により復路３１ｂの出口に戻ろうとするが、段差部材３３により阻止されることになる。
【００５０】
図６（ａ）は、プッシュラッチ装置１００の突出部本体６０の端部をさらに押し込む状態を示す断面図である。図６（ａ）に示すように、突出部本体６０の端部を押し込み続けると、スライド部材３０がさらにケース本体１０の封止端へ移動し、同時にガイドピン５０の係止部５１が復路３１ｂの出口にある段差部材３３の長辺３３ｂに規制されて往路３１ａへ移動する。
【００５１】
図６（ｂ）は、プッシュラッチ装置１００の突出部本体６０の端部をさらに押し込む状態を示す断面図である。図６（ｂ）に示すように、突出部本体６０の端部を押し込み続けると、スライド部材３０がさらにケース本体１０の封止端へ移動し、同時にガイドピン５０の係止部５１が往路３１ａに沿って移動する。
【００５２】
図６（ｃ）は、プッシュラッチ装置１００の突出部本体６０の端部を押し込んだ状態を示す断面図である。図６（ｃ）に示すように、突出部本体６０の端部を押し込み続けると、スライド部材３０がさらにケース本体１０の封止端まで到達し、同時にガイドピン５０の係止部５１が往路３１ａの終端位置に到達する。
【００５３】
図６（ｄ）は、プッシュラッチ装置１００の突出部本体６０の端部を押し込んだ状態を示す断面図である。図６（ｄ）に示すように、ガイドピン５０の係止部５１が往路３１ａの終端位置に到達すると、バネ５４の付勢により復路３１ｂへ移動しようとするが、凸部３１ｃに当たることで阻止される。この際に、突出部本体６０の端部への押し込む力を外すと、ガイドピン５０の係止部５１がバネ４０の付勢により平面３２ｃに係止されている。上述した図４（ａ）に示す状態に戻り、扉等が閉められている状態に相当する。
【００５４】
このように本実施の形態において、プッシュラッチ装置１００は、ケース本体１０と、固定部材２０と、スライド部材３０と、第１の付勢手段としてのバネ４０と、ガイドピン５０と、第２の付勢手段としてのバネ５４と、突出部本体６０とを備える。バネ５４は、ガイドピン５０の係止部５１をガイド溝（３１ａ，３１ｂ）の往路３１ａの終端位置から復路３１ｂの始端側へ付勢するためのコイル状バネであり、ケース本体１０の封止端に設けられた固定部材２０に軸５３に対し垂直方向に装着されている。バネ５４は、軸５３を支点としてガイドピン５０の係止部５１をガイド溝（３１ａ，３１ｂ）の往路３１ａの終端位置から復路３１ｂの始端側へ付勢するようになされる。
【００５５】
これにより、従来のように、ガイドピンをスムーズにＶ字形の凹部に案内するために凸部を高く、かつＶ字形の凹部を深くする必要がなくなり、リリース時のストロークを短くすることができる。そのため、扉と被取付物との間の間隔ができるだけ小さく、近接することができる。
【００５６】
また、軸５３を支点としてガイドピン５０の係止部５１をガイド溝（３１ａ，３１ｂ）の往路３１ａの終端位置から復路３１ｂの始端側へ付勢することが容易に実現できる。
【００５７】
また、復路３１ｂの出口にガイドピン５０の係止部５１の進入を阻止する段差を設けることで、ガイドピン５０の逆走を確実に防止することができる。
【００５８】
図７は、本発明の第２の実施の形態のプッシュラッチ装置２００の構成を示す断面図である。図７（ａ）はガイドピンの揺動平面と平行する断面を示し、図７（ｂ）はガイドピンの揺動平面と垂直する断面を示している。
【００５９】
プッシュラッチ装置２００は、復路３１ｂの出口にガイドピン５０の係止部５１の進入を阻止する段差部材３３の代わりにガイド溝（３１ａ，３１ｂ）の底面に段差３３Ａを形成すること、およびガイドピン５０の端部をガイド溝（３１ａ，３１ｂ）の底面へ付勢するバネ２４を設けること以外に、上述した第１の実施の形態のプッシュラッチ装置１００と同様の構成を有する。
【００６０】
図７に示すように、ガイド溝（３１ａ，３１ｂ）の底面において、ａ点の位置が低く、往路３１ａ、復路３１ｂに沿って徐々に上がっていく。即ちｂ点の位置がａ点より高く、ｃ点の位置がｂ点より高くなっている。これにより段差３３Ａが形成される。
【００６１】
また、復路３１ｂの出口において、ガイドピン５０の係止部５１の進入を確実に阻止するために、ガイドピン５０の端部をガイド溝（３１ａ，３１ｂ）の底面へ付勢するバネ２４が設けられている。バネ２４を設けるために、固定部材２０の保持部２２にバネ２４を装着する穴２２ａが形成されている。
【００６２】
プッシュラッチ装置２００の動作は、上述した第１の実施の形態のプッシュラッチ装置１００と同様である。詳細な説明を省略する。
【００６３】
このように本実施の形態において、プッシュラッチ装置２００は、ケース本体１０と、固定部材２０と、スライド部材３０と、第１の付勢手段としてのバネ４０と、ガイドピン５０と、第２の付勢手段としてのバネ５４と、突出部本体６０とを備える。バネ５４は、ガイドピン５０の係止部５１をガイド溝（３１ａ，３１ｂ）の往路３１ａの終端位置から復路３１ｂの始端側へ付勢するためのコイル状バネであり、ケース本体１０の封止端に設けられた固定部材２０に軸５３に対し垂直方向に装着されている。バネ５４は、軸５３を支点としてガイドピン５０の係止部５１をガイド溝（３１ａ，３１ｂ）の往路３１ａの終端位置から復路３１ｂの始端側へ付勢するようになされる。
【００６４】
これにより、プッシュラッチ装置２００は、上述した第１の実施の形態と同様の効果が得られると共に、ガイドピン５０の係止部５１の逆走を確実に防止することができる。
【００６５】
図８は、本発明の第３の実施の形態のプッシュラッチ装置３００の構成を示す断面図である。
【００６６】
プッシュラッチ装置３００は、バネ５４の代わりに、第２の付勢手段としての磁性体９０をガイド溝（３１ａ，３１ｂ）の復路３１ｂの始端側に配置したこと、および復路３１ｂの出口にガイドピン５０の係止部５１の進入を阻止する段差部材３３を有しない以外に、上述した第１の実施の形態のプッシュラッチ装置１００と同様の構成を有する。
【００６７】
図８に示すように、プッシュラッチ装置３００は、第２の付勢手段として磁性体９０をガイド溝（３１ａ，３１ｂ）の復路３１ｂの始端側に設けている。この場合、少なくともガイドピン５０の係止部５１が磁性体により吸引可能な金属材料から形成されることが条件となる。第２の付勢手段として磁性体９０を用いるため、係止部５１がガイド溝（３１ａ，３１ｂ）の往路３１ａの終端位置から復路の始端位置までの間にあるときのみ、磁性体９０により吸引される。そのため、ガイドピン５０の係止部５１が復路３１ｂの出口にするとき逆走方向への付勢がなく、復路３１ｂの出口に進入することがなくなるので、復路３１ｂの出口にガイドピン５０の係止部５１の進入を阻止する段差を設けずに、即ちガイド溝３１の底面がフラット状であっても、逆走の可能性はない。
【００６８】
このように本実施の形態において、プッシュラッチ装置３００は、ケース本体１０と、固定部材２０と、スライド部材３０と、第１の付勢手段としてのバネ４０と、ガイドピン５０と、突出部本体６０と、第２の付勢手段としての磁性体９０とを備える。磁性体９０はガイド溝（３１ａ，３１ｂ）の復路３１ｂの始端側に配置される。
【００６９】
これにより、プッシュラッチ装置３００は、上述した第１の実施の形態と同様の効果が得られると共に、係止部５１がガイド溝（３１ａ，３１ｂ）の往路３１ａの終端位置から復路３１ｂの始端位置までの間にあるとき、第２の付勢手段により係止部５１をガイド溝（３１ａ，３１ｂ）の往路３１ａの終端位置から復路３１ｂの始端側へ付勢することができ、復路３１ｂの出口にガイドピン５０の係止部５１の進入を阻止する段差を設ける必要がなくなる。
【００７０】
図９は、本発明の第４の実施の形態のプッシュラッチ装置４００の構成を示す断面図である。
【００７１】
プッシュラッチ装置４００は、バネ５４の代わりに、第２の付勢手段としての磁性体９０Ａをガイド溝（３１ａ，３１ｂ）の復路３１ｂの始端側に配置したこと、段差部材３３を有しないこと、およびマグネット６４をスライド部材３０の端部に設けること以外に、上述した第１の実施の形態のシリンダ錠１００と同様の構成を有する。
【００７２】
図９に示すように、プッシュラッチ装置４００は、第２の付勢手段として磁性体９０Ａをガイド溝（３１ａ，３１ｂ）の復路３１ｂの始端側に設けている。磁性体９０Ａは、突出部本体６０の先端に取り付けられているマグネット６４に連結され、マグネット６４の磁気力を利用するものである。この場合も、少なくともガイドピン５０の係止部５１が磁性体により吸引可能な金属材料から形成されることが条件となる。第２の付勢手段として磁性体９０Ａを用いるため、係止部５１がガイド溝（３１ａ，３１ｂ）の往路３１ａの終端位置から復路の始端位置までの間にあるときのみ、磁性体９０Ａにより吸引される。そのため、ガイドピン５０の係止部５１が復路３１ｂの出口にするとき逆走方向への付勢がなく、復路３１ｂの出口に進入することがなくなるので、復路３１ｂの出口にガイドピン５０の係止部５１の進入を阻止する段差を設けずに、即ちガイド溝（３１ａ，３１ｂ）の底面がフラット状である。
【００７３】
また、この例において、スライド部材３０の端部がケース本体１０から突出可能とされ、マグネット６４がスライド部材３０の端部に設けられている。このマグネット６４は、扉等のパネルＰに設けられた金属片Ｓを吸着することで、扉等を閉じた状態に保持する。
【００７４】
このように本実施の形態において、プッシュラッチ装置４００は、第２の付勢手段として磁性体９０Ａをガイド溝（３１ａ，３１ｂ）の復路３１ｂの始端側に設けている。磁性体９０Ａは、突出部本体６０の先端に取り付けられているマグネット６４に連結され、マグネット６４の磁気力を利用するものである。
【００７５】
これにより、プッシュラッチ装置４００は、上述したプッシュラッチ装置３００と同様の効果が得られる。
【００７６】
次に、図１０は、プッシュラッチ装置５００の構成を示す断面図である。図１０に示すように、プッシュラッチ装置５００は、バネ５４、および磁性体９０，９０Ａの代わりに、第２の付勢手段としてガイドピン５０の重力を利用するものである。また、プッシュラッチ装置５００の基本構成は上述したプッシュラッチ装置１００と同様である。
【００７７】
プッシュラッチ装置５００において、ガイドピン５０の係止部５１が走行するためのガイド溝（３１ａ，３１ｂ）の往路３１ａはガイド突部３２により上に、復路３１ｂは下に分割されている。また、復路３１ｂの出口にガイドピン５０の係止部５１の進入を阻止する段差部材３３が設けられる。段差部材３３は短辺３３ａが復路３１ｂの底面と同じ低い位置にされ、長辺３３ｂが短辺３３ａより高い位置、即ち、往路３１ａの底面より高い位置にされている。これにより、復路３１ｂの出口において、ガイドピン５０の係止部５１の進入を阻止する段差が形成される。
【００７８】
この場合、ガイドピン５０の係止部５１がガイド溝（３１ａ，３１ｂ）の往路３１ａの終端位置に到達すると、ガイドピン５０の重力により、ガイド溝（３１ａ，３１ｂ）の往路３１ａの終端位置から復路３１ｂの始端側へ付勢され、下方へ移動する。途中で係止部５１が平面３２ｃに係止し、そして、係止が解除されると、復路３１ｂの始端に移動する。
【００７９】
このような構成によって、プッシュラッチ装置５００を設置する際に、ガイド溝（３１ａ，３１ｂ）の往路３１ａが上に、復路３１ｂが下になるように設置することが必要である。
【００８０】
図１１は、プッシュラッチ装置１００のマグネットと扉間の距離を調整した状態を示す図である。プッシュラッチ装置２００，３００，５００の場合も同様である。
【００８１】
上述した図５（ｂ）に示すように、開扉状態では、ストッパー部材６５がケース本体１０の開口端にあるフランジ１１の内側に引っ掛かることでスライド部材３０の移動がストップされる。このとき、突出部本体６０の慣性力により扉とマグネット６４を離し、扉をさらに開きたいこともある一方、危険防止のために扉をその状態で保持させたい場合もある。これに対応するために、マグネット６４と扉の距離の調整機能が必要となる。
【００８２】
図１１に示すように、突出部本体６０がケース本体１０に対して突出した位置にある際に、突出部本体６０を持ちながらスリーブ６３を回すと、スリーブ６３がマグネット６４の先端面より突出するようになる。これにより、マグネット６４と扉等のパネルＰ間の距離を調整することができ、即ち、マグネットによる吸着力を簡単に調整することができる。
【００８３】
このように、マグネット６４と扉との接触距離を調整可能にすることで、様々の取り付け対象に利用できる。例えば、開き戸の先端と引き出しに使用する場合は、マグネットと扉の離れていく条件が違うため、突出部本体６０の突出時に自動的に離れる吸着力が変化する。この場合、マグネット６４と扉等の距離を調整し、マグネットによる吸着力を調整することで対応できる。また、建具の条件などにもうまく適合させることができる。
【００８４】
なお、上述したプッシュラッチ装置１００，２００，３００，５００において、突出部本体６０は、中空円筒状で、内部に装着された負荷吸収バネ８０を介してスライド部材３０の一端に装着され、負荷吸収バネ８０の外側にスプリングホルダ７０が設けられているものについて説明したが、これに限定されるものではない。例えば、プッシュラッチ装置４００のように、突出部本体６０の代わりにマグネット６４がスライド部材３０の端部に設ける構成にしてもよい。
【産業上の利用可能性】
【００８５】
この発明は、中空状の固定部材に可動部材を相対的に押し込むことにより、可動部材が固定部材に対する突出位置と格納位置とに交互に配置されて保持されるプッシュラッチ装置において、扉と被取付物との間の間隔ができるだけ小さく、近接するために、リリース時のストロークを短くする目的に利用できる。
【符号の説明】
【００８６】
１  従来のプッシュラッチ装置
２  ケース本体
３  固定部材
４  バネ
５  ガイドピン
５ａ  軸
５ｂ  係止部
６  スライド部材
６ａ  往路（ガイド溝）
６ｂ  復路（ガイド溝）
６ｃ  凸部
７  ガイド突部
７ａ  凹部
８  マグネット
１０  ケース本体
１１  フランジ
１１ａ  係止面
２０  固定部材
２１  端部
２２，２３  保持部
３０  スライド部材
３１  スライド部本体
３１ａ  往路（ガイド溝）
３１ｂ  復路（ガイド溝）
３１ｃ  凸部
３２  ガイド突部
３２ａ，３２ｂ  引掛部
３２ｃ  平面
３３  段差部材
３３ａ  短辺
３３ｂ  長辺
３４  端部フランジ
３５  嵌合部
４０  バネ（第１の付勢手段）
５０  ガイドピン
５１  係止部
５２  軸穴
５３  軸
５４  バネ（第２の付勢手段）
６０  突出部本体
６１，６２  ねじ部
６３  スリーブ
６４  マグネット
６５  ストッパー部材
６５ａ  凹凸端面
７０  スプリングホルダ
７２  凹凸端面
８０  負荷吸収バネ
９０，９０Ａ  磁性体
１００，２００，３００，４００，５００  プッシュラッチ装置
Ｓ  金属片
Ｐ  パネル
【図１】
2010242413.tif 000003
【図２】
2010242413.tif 000004
【図３】
2010242413.tif 000005
【図４】
2010242413.tif 000006
【図５】
2010242413.tif 000007
【図６】
2010242413.tif 000008
【図７】
2010242413.tif 000009
【図８】
2010242413.tif 000010
【図９】
2010242413.tif 000011
【図１０】
2010242413.tif 000012
【図１１】
2010242413.tif 000013
【図１２】
2010242413.tif 000014